(57)【特許請求の範囲】
【請求項１】
表示面を有し、前記表示面に第１オブジェクトを表示する表示部と、
前記表示面に表示された前記第１オブジェクトが選択されると、選択された前記第１オブジェクトよりも１つ下の階層に位置する第２オブジェクトを取得する第１取得部と、
前記第１取得部が取得した前記第２オブジェクトを含む第１画面を生成する第１画面生成部と、
所定の条件を参照して、前記第１オブジェクトよりも下位の階層に位置する第３オブジェクトを取得する第２取得部と、
前記第３オブジェクトよりも１つ下の階層に位置する第４オブジェクトを取得する第３取得部と、
前記第３取得部が取得した前記第４オブジェクトを含む第２画面を生成する第２画面生成部と、
ユーザーの認証を行う認証部と、
前記認証部によって認証された前記ユーザーが作成した第５オブジェクトを取得する第４取得部と
を備え、
前記所定の条件は、最も上位の階層に位置する前記第５オブジェクトの１つ上の階層に位置する第６オブジェクトを前記第３オブジェクトとして取得するという条件を含み、
前記表示部は、前記表示面に前記第１画面と前記第２画面とを同時に表示する、表示処理装置。
【請求項２】
表示面を有し、前記表示面に第１オブジェクトを表示する表示部と、
前記表示面に表示された前記第１オブジェクトが選択されると、選択された前記第１オブジェクトよりも１つ下の階層に位置する第２オブジェクトを取得する第１取得部と、
前記第１取得部が取得した前記第２オブジェクトを含む第１画面を生成する第１画面生成部と、
所定の条件を参照して、前記第１オブジェクトよりも下位の階層に位置する第３オブジェクトを取得する第２取得部と、
前記第３オブジェクトよりも１つ下の階層に位置する第４オブジェクトを取得する第３取得部と、
前記第３取得部が取得した前記第４オブジェクトを含む第２画面を生成する第２画面生成部と、
ユーザーの認証を行う認証部と、
前記認証部によって認証された前記ユーザーが作成した第５オブジェクトを取得する第４取得部と
を備え、
前記所定の条件は、作成日時が最新の前記第５オブジェクトの１つ上の階層に位置する第６オブジェクトを前記第３オブジェクトとして取得するという条件を含み、
前記表示部は、前記表示面に前記第１画面と前記第２画面とを同時に表示する、表示処理装置。
【請求項３】
表示面を有し、前記表示面に第１オブジェクトを表示する表示部と、
前記表示面に表示された前記第１オブジェクトが選択されると、選択された前記第１オブジェクトよりも１つ下の階層に位置する第２オブジェクトを取得する第１取得部と、
前記第１取得部が取得した前記第２オブジェクトを含む第１画面を生成する第１画面生成部と、
所定の条件を参照して、前記第１オブジェクトよりも下位の階層に位置する第３オブジェクトを取得する第２取得部と、
前記第３オブジェクトよりも１つ下の階層に位置する第４オブジェクトを取得する第３取得部と、
前記第３取得部が取得した前記第４オブジェクトを含む第２画面を生成する第２画面生成部と、
ユーザーの認証を行う認証部と、
前記認証部によって認証された前記ユーザーが作成した第５オブジェクトを取得する第４取得部と、
前記第５オブジェクトよりも１つ上の階層に位置する第６オブジェクトごとに前記第５オブジェクトの数を計数する計数部と
を備え、
前記所定の条件は、前記計数部による計数値が最大の前記第６オブジェクトを前記第３オブジェクトとして取得するという条件を含み、
前記表示部は、前記表示面に前記第１画面と前記第２画面とを同時に表示する、表示処理装置。
【請求項４】
表示面を有し、前記表示面に第１オブジェクトを表示する表示部と、
前記表示面に表示された前記第１オブジェクトが選択されると、選択された前記第１オブジェクトよりも１つ下の階層に位置する第２オブジェクトを取得する第１取得部と、
前記第１取得部が取得した前記第２オブジェクトを含む第１画面を生成する第１画面生成部と、
所定の条件を参照して、前記第１オブジェクトよりも下位の階層に位置する第３オブジェクトを取得する第２取得部と、
前記第３オブジェクトよりも１つ下の階層に位置する第４オブジェクトを取得する第３取得部と、
前記第３取得部が取得した前記第４オブジェクトを含む第２画面を生成する第２画面生成部と、
ユーザーの認証を行う認証部と、
前記認証部によって認証された前記ユーザーが作成した第５オブジェクトを取得する第４取得部と、
前記第５オブジェクトよりも１つ上の階層に位置する第６オブジェクトごとに前記第５オブジェクトのデータ量の合計値を算出する算出部と
を備え、
前記所定の条件は、前記合計値が最大の前記第６オブジェクトを前記第３オブジェクトとして取得するという条件を含み、
前記表示部は、前記表示面に前記第１画面と前記第２画面とを同時に表示する、表示処理装置。
【請求項５】
表示面を有し、前記表示面に第１オブジェクトを表示する表示部と、
前記表示面に表示された前記第１オブジェクトが選択されると、選択された前記第１オブジェクトよりも１つ下の階層に位置する第２オブジェクトを取得する第１取得部と、
前記第１取得部が取得した前記第２オブジェクトを含む第１画面を生成する第１画面生成部と、
所定の条件を参照して、前記第１オブジェクトよりも下位の階層に位置する第３オブジェクトを取得する第２取得部と、
前記第３オブジェクトよりも１つ下の階層に位置する第４オブジェクトを取得する第３取得部と、
前記第３取得部が取得した前記第４オブジェクトを含む第２画面を生成する第２画面生成部と、
ユーザーの認証を行う認証部と、
前記認証部によって認証された前記ユーザーが作成した第５オブジェクトを取得する第４取得部と、
前記所定の条件を入力する入力部と、
前記第５オブジェクトよりも１つ上の階層に位置する第６オブジェクトごとに前記第５オブジェクトの数を計数する計数部と、
前記第５オブジェクトのデータ量の合計値を前記第６オブジェクトごとに算出する算出部と
を備え、
前記所定の条件は、第１条件、第２条件、第３条件、及び第４条件を含み、
前記第１条件は、最も上位の階層に位置する前記第５オブジェクトの１つ上の階層に位置する前記第６オブジェクトを前記第３オブジェクトとして取得するという条件であり、
前記第２条件は、作成日時が最新の前記第５オブジェクトの１つ上の階層に位置する前記第６オブジェクトを前記第３オブジェクトとして取得するという条件であり、
前記第３条件は、前記計数部による計数値が最大の前記第６オブジェクトを前記第３オブジェクトとして取得するという条件であり、
前記第４条件は、前記合計値が最大の前記第６オブジェクトを前記第３オブジェクトとして取得するという条件であり、
前記入力部は、前記第１条件、前記第２条件、前記第３条件、及び前記第４条件のいずれか１つの条件を入力し、
前記表示部は、前記表示面に前記第１画面と前記第２画面とを同時に表示する、表示処理装置。
【請求項６】
前記表示部は、前記表示面に表示された前記第１画面及び前記第２画面のうちいずれか一方が選択されると、選択されなかった前記第２画面又は前記第１画面を前記表示面から消去する、請求項１〜請求項５のいずれか１項に記載の表示処理装置。
【請求項７】
前記第１画面は、前記第２オブジェクトをリスト形式で表示し、前記第２画面は、前記第４オブジェクトをリスト形式で表示する、請求項１〜請求項６のいずれか１項に記載の表示処理装置。
【請求項８】
請求項１〜請求項７のいずれか１項に記載の表示処理装置を備える画像形成装置。
【発明の詳細な説明】
【技術分野】
【０００１】
本発明は、表示処理装置、及び画像形成装置に関する。
【背景技術】
【０００２】
タッチパネルのような表示処理装置は、アイコン、フォルダ、及びファイルなどのオブジェクトを階層化して表示する。具体的には、表示処理装置は、あるオブジェクトが選択されると、そのオブジェクトの１つ下の階層に存在するオブジェクトのみを表示する（例えば、特許文献１参照）。
【先行技術文献】
【特許文献】
【０００３】
【特許文献１】特開２００４−２８９６９１号公報
【発明の概要】
【発明が解決しようとする課題】
【０００４】
しかしながら、一般的な表示処理装置において、ユーザーは下位の階層に位置するオブジェクトを選択するために、オブジェクトを選択する操作を繰り返さなければならなかった。この結果、ユーザーの作業効率が低下する虞があった。
【０００５】
本発明は上記課題に鑑み、ユーザーの作業効率を向上させる表示処理装置、及び画像形成装置を提供することを目的とする。
【課題を解決するための手段】
【０００６】
本発明の表示処理装置は、表示部と、第１取得部と、第１画面生成部と、第２取得部と、第３取得部と、第２画面生成部とを備える。前記表示部は、表示面を有し、前記表示面に第１オブジェクトを表示する。前記第１取得部は、前記表示面に表示された前記第１オブジェクトが選択されると、選択された前記第１オブジェクトよりも１つ下の階層に位置する第２オブジェクトを取得する。前記第１画面生成部は、前記第１取得部が取得した前記第２オブジェクトを含む第１画面を生成する。前記第２取得部は、所定の条件を参照して、前記第１オブジェクトよりも下位の階層に位置する第３オブジェクトを取得する。前記第３取得部は、前記第３オブジェクトよりも１つ下の階層に位置する第４オブジェクトを取得する。前記第２画面生成部は、前記第３取得部が取得した前記第４オブジェクトを含む第２画面を生成する。前記表示部は、前記表示面に前記第１画面と前記第２画面とを同時に表示する。
【０００７】
本発明の画像形成装置は、上記に記載の表示処理装置を備える。
【発明の効果】
【０００８】
本発明によれば、ユーザーの作業効率を向上させることができる。
【図面の簡単な説明】
【０００９】
【図１】本発明の実施形態に係る表示処理装置の構成を示す図である。
【図２】本発明の実施形態に係る表示処理装置の構成を示すブロック図である。
【図３】本発明の実施形態に係る表示処理装置の動作を示すフローチャートである。
【図４】本発明の実施形態に係るオブジェクトのツリー構造を示す図である。
【図５】本発明の実施形態に係るタッチパネルに表示される通常画面の一例を示す図である。
【図６】本発明の実施形態に係る第１条件が設定された場合に、タッチパネルに表示される画面の一例を示す図である。
【図７】本発明の実施形態に係る第２条件が設定された場合に、タッチパネルに表示される画面の一例を示す図である。
【図８】本発明の実施形態に係る第３条件が設定された場合に、タッチパネルに表示される画面の一例を示す図である。
【図９】本発明の実施形態に係る第４条件が設定された場合に、タッチパネルに表示される画面の一例を示す図である。
【図１０】本発明の実施形態に係る第１画面が選択された後に、タッチパネルに表示される画面を示す図である。
【発明を実施するための形態】
【００１０】
以下、図面を参照して本発明の実施形態に係る表示処理装置、及び画像形成装置について説明する。なお、図中、同一又は相当部分については同一の参照符号を付して説明を繰り返さない。
【００１１】
まず、図１を参照して、表示処理装置１の構成について説明する。図１は、表示処理装置１の構成を示す図である。表示処理装置１は、例えば、複合機のような画像形成装置が備える表示処理装置である。
【００１２】
図１に示すように、表示処理装置１は、操作部２を備える。操作部２は、表示処理装置１に対するユーザーからの指示を受け付ける。また、操作部２は、ユーザー認証を行うために、ユーザーを示す情報の入力を受け付ける。操作部２は、タッチパネル２１及び操作ボタン２２を含む。
【００１３】
タッチパネル２１は、入力部及び表示部の一例である。タッチパネル２１は、表示面Ｄ及びタッチ面を有する。タッチ面は、表示面Ｄの上方に配置される。図１では、理解を容易にするために、タッチ面は図示していない。表示面Ｄは、オブジェクト１０を表示する。オブジェクト１０は、例えば、アイコンオブジェクト、フォルダオブジェクト、及びファイルオブジェクトを含む。以下、「アイコンオブジェクト」を「アイコン」と記載し、「フォルダオブジェクト」を「フォルダ」と記載し、「ファイルオブジェクト」を「ファイル」と記載する。ユーザーは、タッチ面をタッチすることによって、表示面Ｄに表示されたオブジェクト１０を選択することができる。
【００１４】
操作ボタン２２は、例えば、ホームキーである。表示面Ｄは、ホームキーが押下されると、ユーザー認証が実行された後の初期画面（以下、通常画面と記載する。）を表示する。
【００１５】
続いて、図１及び図２を参照して表示処理装置１の構成について詳細に説明する。図２は、表示処理装置１の構成を示すブロック図である。
【００１６】
図２に示すように表示処理装置１は、記憶部３及び制御部５を更に備える。
【００１７】
記憶部３は、ＨＤＤ（Ｈａｒｄ  Ｄｉｓｋ  Ｄｒｉｖｅ）、ＲＡＭ（Ｒａｎｄｏｍ  Ａｃｃｅｓｓ  Ｍｅｍｏｒｙ）及びＲＯＭ（Ｒｅａｄ  Ｏｎｌｙ  Ｍｅｍｏｒｙ）等によって構成される。記憶部３は、制御プログラムＰＧ、及びオブジェクト１０を記憶する。オブジェクト１０は、そのオブジェクト１０が作成された日時（作成日時）を示す情報、そのオブジェクト１０を作成したユーザー（作成ユーザー）を示す情報、及びデータ量を示す情報を有する。また、オブジェクト１０は、そのオブジェクト１０の１つ下の階層に位置するオブジェクト１０を示す情報（下位情報）を有する。オブジェクト１０は、通常画面に表示される第１オブジェクトを含む。
【００１８】
制御部５は、ＣＰＵ（Ｃｅｎｔｒａｌ  Ｐｒｏｃｅｓｓｉｎｇ  Ｕｎｉｔ）のような制御機器によって構成される。制御部５は、記憶部３に記憶された制御プログラムＰＧを実行することによって、表示処理装置１の各部の動作を制御する。
【００１９】
また、制御部５は、制御プログラムＰＧを実行することによって、認証部５０、第１取得部５１、第２取得部５２、第３取得部５３、第４取得部５４、第１画面生成部５５、第２画面生成部５６、計数部５７、及び算出部５８として機能する。
【００２０】
認証部５０は、操作部２を介して入力されたユーザーを示す情報に基づいて認証を行う。以下、認証部５０によって認証されたユーザーを「認証ユーザー」と記載する場合がある。
【００２１】
第１取得部５１は、表示面Ｄに表示された第１オブジェクトが選択されると、選択された第１オブジェクトが有する下位情報を参照して、第２オブジェクトを取得する。第２オブジェクトは、選択された第１オブジェクトよりも１つ下の階層に位置するオブジェクト１０である。
【００２２】
第２取得部５２は、表示面Ｄに表示された第１オブジェクトが選択されると、所定の条件を参照して、第３オブジェクトを取得する。第３オブジェクトは、第１オブジェクトよりも下位の階層に位置するオブジェクト１０である。詳しくは、第２取得部５２は、所定の条件にしたがって、選択された第１オブジェクトが有する下位情報と、選択された第１オブジェクトよりも下位の階層に位置するオブジェクト１０が有する下位情報とを参照していく。本実施形態において、所定の条件は、操作部２を介してユーザーによって設定される。
【００２３】
第３取得部５３は、第３オブジェクトが有する下位情報を参照して第４オブジェクトを取得する。第４オブジェクトは、第３オブジェクトよりも１つ下の階層に位置するオブジェクト１０である。
【００２４】
第４取得部５４は、認証ユーザーによって作成されたオブジェクト１０を取得する。以下、認証ユーザーによって作成されたオブジェクト１０を「第５オブジェクト」と記載する場合がある。
【００２５】
第１画面生成部５５は、第１取得部５１が取得した第２オブジェクトを含む第１画面を生成する。第１画面は、表示面Ｄに表示される。第１画面は、第２オブジェクトをリスト形式で表示する。
【００２６】
第２画面生成部５６は、第３取得部５３が取得した第４オブジェクトを含む第２画面を生成する。第２画面は、表示面Ｄに表示される。第２画面は、第４オブジェクトをリスト形式で表示する。第１画面及び第２画面は、同時に表示される。
【００２７】
タッチパネル２１は、第１画面及び第２画面のうちのいずれか一方が選択されると、選択されなかった第２画面又は第１画面を表示面Ｄから消去する。
【００２８】
計数部５７は、第６オブジェクトごとに第５オブジェクトの数を計数する。第６オブジェクトは、第５オブジェクトよりも１つ上の階層に位置するオブジェクト１０である。
【００２９】
算出部５８は、第６オブジェクトごとに第５オブジェクトのデータ量の合計値を算出する。
【００３０】
図３を参照して、表示処理装置１の動作について説明する。図３は、表示処理装置１の動作を示すフローチャートである。
【００３１】
図３に示すように、ユーザーが操作部２を操作することによって、所定の条件が入力される（ステップＳ１０２）。次いで、タッチパネル２１は、表示面Ｄに第１オブジェクトを表示する（ステップＳ１０４）。第１取得部５１は、表示面Ｄに表示された第１オブジェクトが選択されると、第２オブジェクトを取得する（ステップＳ１０６）。次いで、第１画面生成部５５は、第２オブジェクトを含む第１画面を生成する（ステップＳ１０８）。次いで、第２取得部５２は、所定の条件を参照して、第３オブジェクトを取得する（ステップＳ１１０）。次いで、第３取得部５３は、第４オブジェクトを取得し（ステップＳ１１２）、第２画面生成部５６が第４オブジェクトを含む第２画面を生成する（ステップＳ１１４）。タッチパネル２１は、表示面Ｄに第１画面及び第２画面を表示する（ステップＳ１１６）。なお、ステップＳ１０６〜ステップＳ１１４の各処理が実行される順序は、図３に示す順序に限定されない。例えば、ステップＳ１０６の処理の次にステップＳ１１０の処理が実行されてもよい。
【００３２】
続いて、図４を参照して、オブジェクトのツリー構造１００について説明する。図４は、オブジェクトのツリー構造１００を示す図である。
【００３３】
図４に示す例では、ツリー構造１００は、第１階層Ｌ１、第２階層Ｌ２、第３階層Ｌ３、及び第４階層Ｌ４を有する。第１階層Ｌ１には、アイコン「Ａ」１１１、アイコン「Ｂ」１１２、及びアイコン「Ｃ」１１３が存在する。第１階層Ｌ１に存在するアイコン「Ａ」１１１、アイコン「Ｂ」１１２、及びアイコン「Ｃ」１１３は、通常画面に含まれる。
【００３４】
アイコン「Ａ」１１１の１つ下の階層（第２階層Ｌ２）には、フォルダ「Ｆｏ＿Ａ」１２１、フォルダ「Ｆｏ＿Ｂ」１２２、及びフォルダ「Ｆｏ＿Ｃ」１２３が存在する。
【００３５】
フォルダ「Ｆｏ＿Ｃ」１２３の１つ下の階層（第３階層Ｌ３）には、フォルダ「Ｆｏ＿Ｄ」１３１、フォルダ「Ｆｏ＿Ｅ」１３２、フォルダ「Ｆｏ＿Ｆ」１３３、ファイル「Ｄｏ＿Ａ」１３４、ファイル「Ｄｏ＿Ｂ」１３５、及びファイル「Ｄｏ＿Ｃ」１３６が存在する。本実施形態において、ファイル「Ｄｏ＿Ａ」１３４は、第５オブジェクトである。すなわち、ファイル「Ｄｏ＿Ａ」１３４は、認証ユーザーが作成したファイルである。
【００３６】
フォルダ「Ｆｏ＿Ｄ」１３１の１つ下の階層（第４階層Ｌ４）には、ファイル「Ｄｏ＿Ｄ」１４１、及びファイル「Ｄｏ＿Ｅ」１４２が存在する。ファイル「Ｄｏ＿Ｄ」１４１は、第５オブジェクトである。又はファイル「Ｄｏ＿Ｄ」１４１は、第５オブジェクトのうち、作成日時が最新のオブジェクト１０である。
【００３７】
フォルダ「Ｆｏ＿Ｅ」１３２の１つ下の階層（第４階層Ｌ４）には、ファイル「Ｄｏ＿Ｆ」１４３、ファイル「Ｄｏ＿Ｇ」１４４、ファイル「Ｄｏ＿Ｈ」１４５、及びファイル「Ｄｏ＿Ｊ」１４６が存在する。ファイル「Ｄｏ＿Ｆ」１４３、ファイル「Ｄｏ＿Ｇ」１４４、ファイル「Ｄｏ＿Ｈ」１４５、及びファイル「Ｄｏ＿Ｊ」１４６は、第５オブジェクトである。本実施形態において、第５オブジェクトの数（計数値）が最大となる第６オブジェクトは、フォルダ「Ｆｏ＿Ｅ」１３２である。
【００３８】
フォルダ「Ｆｏ＿Ｆ」１３３の１つ下の階層（第４階層Ｌ４）には、ファイル「Ｄｏ＿Ｋ」１４７、及びファイル「Ｄｏ＿Ｌ」１４８が存在する。ファイル「Ｄｏ＿Ｋ」１４７、及びファイル「Ｄｏ＿Ｌ」１４８は、第５オブジェクトである。本実施形態において、第５オブジェクトのデータ量の合計値が最大となるオブジェクト１０は、フォルダ「Ｆｏ＿Ｆ」１３３である。
【００３９】
続いて、図２〜図１０を参照して、タッチパネル２１が表示する画面について説明する。図５は、通常画面の一例を示す図である。
【００４０】
図５に示すように、タッチパネル２１は、通常画面ＤＨを表示する。通常画面ＤＨは、アイコン「Ａ」１１１、アイコン「Ｂ」１１２、及びアイコン「Ｃ」１１３を含む。アイコン「Ａ」１１１、アイコン「Ｂ」１１２、及びアイコン「Ｃ」１１３は、第１オブジェクト１０１である。
【００４１】
図６は、第１条件が設定された場合に、タッチパネル２１に表示される画面の一例を示す図である。本実施形態において、第１条件は、最も上位の階層に位置する第５オブジェクトの１つ上の階層に位置する第６オブジェクトを第３オブジェクトとして取得するという条件である。第２取得部５２は、第１条件を参照して、第３オブジェクトを取得する。
【００４２】
詳しくは、図４を参照して説明したアイコン「Ａ」１１１が選択されると、第１取得部５１は、アイコン「Ａ」１１１の１つ下の階層に位置するフォルダ「Ｆｏ＿Ａ」１２１、フォルダ「Ｆｏ＿Ｂ」１２２、及びフォルダ「Ｆｏ＿Ｃ」１２３を第２オブジェクト１０２として取得する。第１画面生成部５５は、第１取得部５１が取得した第２オブジェクト１０２を含む第１画面Ｄ１を生成する。また、アイコン「Ａ」１１１が選択されると、第４取得部５４は、アイコン「Ａ」１１１よりも下位の階層に位置する第５オブジェクトを取得する。第２取得部５２は、最も上位の階層に位置する第５オブジェクトを抽出する。本実施形態において、最も上位の階層に位置する第５オブジェクトは、ファイル「Ｄｏ＿Ａ」１３４である。第２取得部５２は、ファイル「Ｄｏ＿Ａ」１３４の１つ上の階層に位置するフォルダ「Ｆｏ＿Ｃ」１２３を第３オブジェクトとして取得する。第３取得部５３は、フォルダ「Ｆｏ＿Ｃ」１２３の１つ下の階層に位置するフォルダ「Ｆｏ＿Ｄ」１３１、フォルダ「Ｆｏ＿Ｅ」１３２、フォルダ「Ｆｏ＿Ｆ」１３３、ファイル「Ｄｏ＿Ａ」１３４、ファイル「Ｄｏ＿Ｂ」１３５、及びファイル「Ｄｏ＿Ｃ」１３６を第４オブジェクト１０４として取得する。第２画面生成部５６は、第３取得部５３が取得した第４オブジェクト１０４を含む第２画面Ｄ２を生成する。
【００４３】
第１画面Ｄ１及び第２画面Ｄ２が生成されると、図６に示すように、タッチパネル２１は、第１画面Ｄ１及び第２画面Ｄ２を同時に表示する。所定の条件として第１条件が設定された場合、第２画面Ｄ２は、フォルダ「Ｆｏ＿Ｄ」１３１、フォルダ「Ｆｏ＿Ｅ」１３２、フォルダ「Ｆｏ＿Ｆ」１３３、ファイル「Ｄｏ＿Ａ」１３４、ファイル「Ｄｏ＿Ｂ」１３５、及びファイル「Ｄｏ＿Ｃ」１３６を含む画面となる。
【００４４】
次に、図２〜図５、及び図７を参照して、第２条件が設定された場合にタッチパネル２１に表示される画面について説明する。図７は、第２条件が設定された場合にタッチパネル２１に表示される画面の一例を示す図である。本実施形態において、第２条件は、作成日時が最新の第５オブジェクトの１つ上の階層に位置する第６オブジェクトを第３オブジェクトとして取得するという条件である。第２取得部５２は、第２条件を参照して、第３オブジェクトを取得する。
【００４５】
詳しくは、図４を参照して説明したアイコン「Ａ」１１１が選択されると、第４取得部５４は、アイコン「Ａ」１１１よりも下位の階層に位置する第５オブジェクトを取得する。第２取得部５２は、第５オブジェクトが有する作成日時を示す情報を参照する。本実施形態において、ファイル「Ｄｏ＿Ｄ」１４１は、最新の作成日時を示す情報を有する。このため、第２取得部５２は、ファイル「Ｄｏ＿Ｄ」１４１を抽出する。第２取得部５２は、抽出したファイル「Ｄｏ＿Ｄ」１４１の１つ上の階層に位置するフォルダ「Ｆｏ＿Ｄ」１３１を第３オブジェクトとして取得する。第３取得部５３は、フォルダ「Ｆｏ＿Ｄ」１３１の１つ下の階層に位置するファイル「Ｄｏ＿Ｄ」１４１、及びファイル「Ｄｏ＿Ｅ」１４２を第４オブジェクト１０４として取得する。第２画面生成部５６は、第３取得部５３が取得した第４オブジェクト１０４を含む第２画面Ｄ２を生成する。
【００４６】
第１画面Ｄ１及び第２画面Ｄ２が生成されると、図７に示すように、タッチパネル２１は第１画面Ｄ１及び第２画面Ｄ２を同時に表示する。所定の条件として第２条件が設定された場合、第２画面Ｄ２は、ファイル「Ｄｏ＿Ｄ」１４１、及びファイル「Ｄｏ＿Ｅ」１４２を含む画面となる。
【００４７】
次に、図２〜図５、及び図８を参照して、第３条件が設定された場合にタッチパネル２１に表示される画面について説明する。図８は、第３条件が設定された場合にタッチパネル２１に表示される画面の一例を示す図である。本実施形態において、第３条件は、計数部５７による計数値が最大の第６オブジェクトを第３オブジェクトとして取得するという条件である。第２取得部５２は、第３条件を参照して、第３オブジェクトを取得する。
【００４８】
詳しくは、図４を参照して説明したアイコン「Ａ」１１１が選択されると、第４取得部５４は、アイコン「Ａ」１１１よりも下位の階層に位置する第５オブジェクトを取得する。計数部５７は、第６オブジェクトごとに第５オブジェクトの数を計数する。本実施形態では、第５オブジェクトの数（計数値）が最大となる第６オブジェクトは、フォルダ「Ｆｏ＿Ｅ」１３２である。このため、第２取得部５２は、フォルダ「Ｆｏ＿Ｅ」１３２を第３オブジェクトとして取得する。第３取得部５３は、フォルダ「Ｆｏ＿Ｅ」１３２の１つ下の階層に位置するファイル「Ｄｏ＿Ｆ」１４３、ファイル「Ｄｏ＿Ｇ」１４４、ファイル「Ｄｏ＿Ｈ」１４５、及びファイル「Ｄｏ＿Ｊ」１４６を第４オブジェクト１０４として取得する。第２画面生成部５６は、第３取得部５３が取得した第４オブジェクト１０４を含む第２画面Ｄ２を生成する。
【００４９】
第１画面Ｄ１及び第２画面Ｄ２が生成されると、図８に示すように、タッチパネル２１は、第１画面Ｄ１及び第２画面Ｄ２を同時に表示する。所定の条件として第３条件が設定された場合、第２画面Ｄ２は、ファイル「Ｄｏ＿Ｆ」１４３、ファイル「Ｄｏ＿Ｇ」１４４、ファイル「Ｄｏ＿Ｈ」１４５、及びファイル「Ｄｏ＿Ｊ」１４６を含む画面となる。
【００５０】
次に、図２〜図５、及び図９を参照して、第４条件が設定された場合にタッチパネル２１に表示される画面について説明する。図９は、第４条件が設定された場合にタッチパネル２１に表示される画面を示す図である。第４条件は、算出部５８が算出した合計値が最大の第６オブジェクトを第３オブジェクトとして取得するという条件である。
【００５１】
詳しくは、図４を参照して説明したアイコン「Ａ」１１１が選択されると、第４取得部５４は、アイコン「Ａ」１１１よりも下位の階層に位置する第５オブジェクトを取得する。算出部５８は、第６オブジェクトごとに第５オブジェクトのデータ量の合計値を算出する。本実施形態では、第５オブジェクトのデータ量が最大となる第６オブジェクトは、フォルダ「Ｆｏ＿Ｆ」１３３である。このため、第２取得部５２は、フォルダ「Ｆｏ＿Ｆ」１３３を第３オブジェクトとして取得する。第３取得部５３は、フォルダ「Ｆｏ＿Ｆ」１３３の１つ下の階層に位置するファイル「Ｄｏ＿Ｋ」１４７、及びファイル「Ｄｏ＿Ｌ」１４８を第４オブジェクト１０４として取得する。第２画面生成部５６は、第３取得部５３が取得した第４オブジェクト１０４を含む第２画面Ｄ２を生成する。
【００５２】
第１画面Ｄ１及び第２画面Ｄ２が生成されると、図９に示すように、タッチパネル２１は、第１画面Ｄ１及び第２画面Ｄ２を同時に表示する。所定の条件として第４条件が設定された場合、第２画面Ｄ２は、ファイル「Ｄｏ＿Ｋ」１４７、及びファイル「Ｄｏ＿Ｌ」１４８を含む画面となる。
【００５３】
図１０は、第１画面Ｄ１が選択された後に、タッチパネル２１に表示される画面を示す図である。表示面Ｄに表示されている第１画面Ｄ１の一部をユーザーがタッチすると、図１０に示すように、第２画面Ｄ２は、表示面Ｄから消去される。
【００５４】
以上、本実施形態について説明した。本実施形態によれば、タッチパネル２１は、第１オブジェクト１０１が選択されると、第１画面Ｄ１と第２画面Ｄ２と同時に表示する。第１画面Ｄ１は、第２オブジェクト１０２を含む画面である。第２画面Ｄ２は、第４オブジェクト１０４を含む画面である。第２オブジェクト１０２は、第１オブジェクト１０１よりも１つ下の階層に位置する。第４オブジェクト１０４は、第２取得部５２によって取得された第３オブジェクトよりも１つ下の階層に位置する。第３オブジェクトは、第１オブジェクト１０１よりも下位の階層に位置する。したがって、ユーザーは、オブジェクト１０の選択の操作を繰り返すことなく、下位の階層に位置するオブジェクト１０を選択することができる。この結果、ユーザーの作業効率の低下を抑制することができる。
【００５５】
一般的に、ユーザーは、自身が作成したオブジェクト１０を選択することが多い。本実施形態では、オブジェクト１０は、作成ユーザーを示す情報を有し、認証ユーザーによって作成されたオブジェクト１０（第５オブジェクト）を含む画面が第２画面Ｄ２に表示される。したがって、ユーザーの利便性が向上する。
【００５６】
また、本実施形態によれば、ユーザーは、所定の条件として、第１条件、第２条件、第３条件、及び第４条件のいずれか１つの条件を設定することができる。これにより、ユーザーは、第２画面Ｄ２をカスタマイズすることができる。この結果、ユーザーの利便性が向上する。
【００５７】
なお、本実施形態において、表示処理装置１は、表示処理装置１が備える記憶部３に記憶されたオブジェクト１０を表示したが、本発明はこれに限定されない。例えば、表示処理装置１は、外部の記憶部に記憶されたオブジェクトを表示し得る。
【００５８】
また、本実施形態において、表示処理装置１は、第１画面Ｄ１又は第２画面Ｄ２の一部がタッチされると、タッチされなかった第２画面Ｄ２又は第１画面Ｄ１を表示面Ｄから消去したが、本発明はこれに限定されない。例えば、タッチパネル２１は、第１画面Ｄ１及び第２画面Ｄ２を表示してから所定時間（例えば、１分間）が経過するまでの間にユーザーによってタッチ面がタッチされない場合に、第２画面Ｄ２を表示面Ｄから消去してもよい。この場合、より下位の階層に位置するオブジェクト１０を含む画面が優先して消去される。この結果、ユーザーは、画面を閉じる必要がなくなり、利便性が向上する。
【００５９】
また、本実施形態において、第１階層Ｌ１に存在するアイコン「Ａ」１１１、アイコン「Ｂ」１１２、及びアイコン「Ｃ」１１３が第１オブジェクト１０１である場合を例に説明したが、本発明はこれに限定されない。例えば、第１オブジェクト１０１は、第２階層Ｌ２に存在するオブジェクト１０であってもよい。
【００６０】
また、本実施形態において、第４取得部５４がフォルダ又はファイルを取得する場合を例に説明したが、本発明はこれに限定されない。例えば、第４取得部５４は、ファイルのみを取得してもよい。
【００６１】
以上、本発明の実施形態について、図面（図１〜図１０）を参照しながら説明した。但し、本発明は、上記の実施形態に限られるものではなく、その要旨を逸脱しない範囲で種々の態様において実施することが可能である。
【００６２】
例えば、本発明の実施形態では、画像形成装置が備える表示処理装置１に本発明を適用する場合を例に説明したが、本発明はこれに限定されない。例えば、本発明は、携帯端末のような電子機器が備える表示処理装置にも適用可能である。
【産業上の利用可能性】
【００６３】
本発明は、電子機器に有用である。
【符号の説明】
【００６４】
１      表示処理装置
２      表示部
５１    第１取得部
５２    第２取得部
５３    第３取得部
５５    第１画面生成部
５６    第２画面生成部
【図１】
0006443352.tif 000002
【図２】
0006443352.tif 000003
【図３】
0006443352.tif 000004
【図４】
0006443352.tif 000005
【図５】
0006443352.tif 000006
【図６】
0006443352.tif 000007
【図７】
0006443352.tif 000008
【図８】
0006443352.tif 000009
【図９】
0006443352.tif 000010
【図１０】
0006443352.tif 000011